(57)【特許請求の範囲】
【請求項１】
床に埋込固定される配線の配管となるフロアダクトと、前記フロアダクトに取付けられるとともに床に埋込固定され上面が開口されたボックス部と、前記ボックス内に連通する第１の開口部が設けられ前記ボックス部の上端部に取着されるベースプレートと、前記ボックス部の開口部に連通する第２の開口部が設けられ前記ベースプレートに載置されて縦横に移動自在な取付プレートと、光源及び前記光源の制御部を内蔵し前記取付プレートに取着され下部が前記各開口部を通して前記ボックス部内に収納される照明器具本体部とを具備して成ることを特徴とする埋込型照明器具。
【請求項２】
照明器具本体部に、前記照明器具本体部の高さを調整する高さ調整手段を設けたことを特徴とする請求項１記載の埋込型照明器具。
【発明の詳細な説明】
【０００１】
【発明の属する技術分野】
本発明は、各種施設の通路床に埋込設置される埋込型照明器具に関するものである。
【０００２】
【従来の技術】
従来より、地下街、ホテル、ショッピングセンター、店舗、及び福祉施設等の各種施設において、通路床に複数個の埋込型照明器具を所定間隔離して列状に設け、この複数個の埋込型照明器具の一部を点滅して、埋込型照明器具の点滅する（隣接する埋込型照明器具を誘導方向に時々刻々点灯する）流れで誘導方向を示すような誘導システム（例えば、避難誘導システム）が知られている。
【０００３】
ところで、この種の埋込型照明器具を施工する際には、例えば図７に示すように捨てボックスあるいは仮枠にて大きめの設置スペース（設置場所）４０を確保して縦方向及び横方向の位置ずれを補正できるようにし、埋込本体３０の底面部に設けられた複数のレベル調整ねじ３１を回転させてレベル調整ねじ３１を埋込本体３０の底面から上下方向に進退させることにより、埋込本体３０の高さ調整を適宜行う。次に埋込本体３０の周囲にコンクリートあるいはモルタル等を充填して床に固定し、床の仕上げを行うとともに、光源等を内蔵した照明器具本体部を取り付けて設置作業は完了となる。
【０００４】
【発明が解決しようとする課題】
ところが、上記従来構成では、縦方向及び横方向の位置ずれを補正できるように、施工時において、仮枠等で大きめの設置場所（スペース）を確保する作業や、埋込本体３０の周囲にモルタル等を充填する作業が必要であって手間がかかり、コスト及び作業時間の面から施工時の効率が悪いものであった。
【０００５】
本発明は上記事由に鑑みて為されたものであり、その目的は、仮枠等を用いずに一回のコンクリート打ちで縦方向及び横方向のずれに対応できるような埋込型照明器具を提供することにある。
【０００６】
【課題を解決するための手段】
請求項１の発明は、上記目的を達成するために、床に埋込固定される配線の配管となるフロアダクトと、前記フロアダクトに取付けられるとともに床に埋込固定され上面が開口されたボックス部と、前記ボックス内に連通する第１の開口部が設けられ前記ボックス部の上端部に取着されるベースプレートと、前記ボックス部の開口部に連通する第２の開口部が設けられ前記ベースプレートに載置されて縦横に移動自在な取付プレートと、光源及び前記光源の制御部を内蔵し前記取付プレートに取着され下部が前記各開口部を通して前記ボックス部内に収納される照明器具本体部とを具備して成ることを特徴とするものであり、取付プレートを縦横に移動させることで照明器具本体部を縦横に移動できるから、仮枠等を用いて大きめの設置スペースを確保しなくても縦方向及び横方向のずれに対応できるので、コンクリート打ちの回数を従来の仮枠等を用いた場合の２回から１回に減らすことができ、コスト及び作業時間の大幅な削減ができる。
【０００７】
請求項２の発明は、請求項１の発明において、照明器具本体部に、前記照明器具本体部の高さを調整する高さ調整手段を設けたので、床の仕上げを行った後でも容易に照明器具本体部の高さ調整を行うことができる。
【０００８】
【発明の実施の形態】
本実施形態の埋込型照明器具Ａは、図１に示すように床に埋込固定される配線の配管となるフロアダクト６０（ＪＩＳ規格で規格化された既製のフロアダクト）と、フロアダクト６０に取付られるとともに床に埋込固定されるボックス部Ｂと、前記ボックス部Ｂに取着されるベースプレート８１と、ベースプレート８１に載置され縦横に移動自在な取付プレート５０と、冷陰極放電管よりなる光源及び前記光源の制御部を内蔵し取付プレート５０に取着され下部がボックス部Ｂ内に収納される照明器具本体部１とで構成される。
【０００９】
ここで、ボックス部Ｂは、上面が開口した角箱状であってＪＩＳ規格で規格化された既製の大型四角アウトレットボックス２と、大型四角アウトレットボックス２の上端部に取着される継枠７０とで構成してある。なお、継枠７０は、ボックス部Ｂの高さを高くするためのものであって、必要に応じて適宜設ければよい。なお、大型四角アウトレットボックス２の底面にはフロアダクト６０に設けられたインサート部６０ａが挿入される取付孔がいわゆるノックアウトにより形成してある。
【００１０】
ベースプレート８１は図４に示すように、中央に開口部８２を有し、開口部周縁に取付片８３が突設されており、この取付片８３に形成された取付孔８４に皿頭ねじを挿通して前記皿頭ねじを継枠７０（継枠７０が不要の時は大型四角アウトレットボックス２）のねじ孔に螺合して継枠７０（継枠７０が不要の時は大型四角アウトレットボックス２）に取着される。ここで、取付孔８４は皿頭ねじ用の孔であって、皿頭がベースプレート８１の上面から突出しないようになっている。取付プレート５０は、図５に示すようにベースプレート８１の開口部８２に比べて縦横の寸法が小さな開口部５１を略中央に有する板状のものであって、ベースプレート８１上に載置した時に縦横に移動可能となる。
【００１１】
この埋込型照明器具Ａを用いて上述の誘導システムを構成する場合には、図６に示すように埋込型照明器具Ａを所定間隔ｄだけ離して列状に設置し、各埋込型照明器具Ａ，Ａ，・・・の点滅制御を行う点滅制御盤２０を別途設ける。点滅制御盤２０は、商用電源に接続されており、商用電源の通電時には商用電源から給電され商用電源の停電時には点滅制御盤２０内部に設けられた非常用電源から給電される。なお、点滅制御盤２０は、埋込型照明器具Ａへ給電する直流電圧（ＤＣ２４Ｖ）を作成する電源回路部（図示せず）を有する。
【００１２】
ところで、従来の埋込型照明器具においては施工業者が埋込型照明器具間を接続する連結用電線は施工業者が準備していたので、結線作業に手間がかかるという不具合があった。これに対し、本実施形態の埋込型照明器具Ａにおいては、照明器具本体部１に予め入力線Ｌ1 及び出力線Ｌ2 それぞれの一端が接続されており、入力線Ｌ1 及び出力線Ｌ2 それぞれの他端にはコネクタが設けてあり、出力線Ｌ2 の長さを入力線Ｌ1 の長さより長くしてあるので、出力線Ｌ2 の他端に設けられたコネクタをフロアダクト６０内を通して隣接された他の埋込型照明器具Ａのボックス部Ｂまで導出し他の埋込型照明器具Ａに設けられた入力線Ｌ1 の他端に設けられたコネクタと直接接続できる。このため、従来の場合に比べて、施工時の結線作業の手間を少なくでき、結線に要する時間を短縮できる。また、入力線Ｌ1 及び出力線Ｌ2 の配線長さを適宜長さにすることにより、入力線Ｌ1 及び出力線Ｌ2 等の電線での電圧降下による品質低下を防止することができる。ここで、上述の点滅制御盤２０は、出力線Ｌ0 が導出されており、出力線Ｌ0 の先端のコネクタを点滅制御盤２０に近い１つの埋込型照明器具Ａの入力線Ｌ1 のコネクタに接続するようになっている。つまり、他の埋込型照明器具Ａ，Ａ・・・は前段の埋込型照明器具Ａを介して点滅制御盤２０に接続される。なお、出力線Ｌ0 ，入力線Ｌ1 ，出力線Ｌ2 は、２本の電源線（ＤＣ２４Ｖ）と、２本の信号線（ＤＣ５Ｖ）と、１本のアース線との合計５本からなる。ここで、５本の各線は線色を互いに異ならせることによって、誤結線を防止している。
【００１３】
以下、本実施形態の埋込型照明器具Ａを床に施工する場合の手順について図１を参照しながら説明する。
まず、フロアダクト６０を配置しておいて、フロアダクト６０に大型四角アウトレットボックス２を取り付け、大型四角アウトレットボックス２の上端部に継枠７０を取り付け、継枠７０の上端面と同じ高さまでコンクリートを打ち込む（図１中の９は打ち込まれたコンクリートを示す）。次に、ベースプレート８１を継枠７０に取着し、ベースプレート８１の上に取付プレート５０を載置する。その後、照明器具本体部１の下部を取付プレート５０の開口部５１及びベースプレートの開口部８２を通してボックス部Ｂ内に挿入する。この時、照明器具本体部１は、高さ調整ねじ４の下端面が取付プレート５０の上端面に当接する位置まで挿入する。この状態で、石材８の仕上げを行う。
【００１４】
ところで、本実施形態ではベースプレート８１上で取付プレート５０を縦横方向にある程度自由に動かすことができるので、縦方向及び横方向のずれが大きい石材８でも充分に対応することができる。仕上げが終わった後は、照明器具本体部１を一度取り出して、ベースプレート８１と取付プレート５０を固定し、ボックス部Ｂ内での結線作業を行い、その後、照明器具本体部１の高さ調整を行う。高さ調整は、まず照明器具本体部１の表示部１ａのねじ４０（図２参照）を取り外して表示部１ａ上面に取着されている表面カバー１ｂ（図２参照）を取り外し、高さ調整ねじ４の頭部４ａ（図３参照）の溝（すりわり）にマイナスドライバー等の治具の先端を差し込んで高さ調整ねじ４を適当に回転させることによって高さ調整ねじ４を上下方向へ移動させて調整を行う。ボックス部Ｂ内での結線作業を終え、高さ調整ねじ４にて床面に対する照明器具本体部１の上面の高さを調整したら、表示部１ａに設けられた長孔１３，１３，・・・に取付プレート５０への取付ねじ（図示せず）を挿通し、この取付ねじを取付プレート５０のねじ穴５２に螺合することにより照明器具本体部１を取付プレート５０へ固定する。つまり、照明器具本体部１が上方へ浮き上がらないように固定される。ところで、長孔１３，１３，・・・は、取付ねじに対して縦方向及び横方向にクリアランスを有し、照明器具本体部１の縦方向及び横方向の位置調整も行うことができるので、縦方向及び横方向の位置調整を行った後に取付ねじを固定すればよい。照明器具本体部１を取付プレート５０に固定したら、最後に、石材８と照明器具本体部１との隙間を目地処理して施工作業は完了する。なお、図２中の１ｃは強化ガラスであって、光源の光を外へ出すためのものである。
【００１５】
しかして、本実施形態では、取付プレート５０をベースプレート８１に対して縦横に移動させることで照明器具本体部１を縦横に移動できるから、仮枠等を用いて大きめの設置スペースを確保しなくても縦方向及び横方向のずれに対応でき、コンクリート打ちの回数を従来の仮枠等を用いた場合の２回から１回に減らすことができて、コスト及び作業時間の大幅な削減ができる。また、照明器具本体部１に設けられた高さ調整ねじ４を回転させるだけの簡単な操作で床面に対する照明器具本体部１の高さを調整することができ、床の仕上げを行った後でも容易に照明器具本体部１の高さ調整を行うことができるのである。さらに、高さ調整ねじ４を複数個設けてある（図３に示すように本実施形態では表示部１ａの４隅近傍に１個づつ設けてある）ので、床面に対する照明器具本体部１の上面の傾きも補正することができる。
【００１６】
【発明の効果】
請求項１の発明は、床に埋込固定される配線の配管となるフロアダクトと、前記フロアダクトに取付けられるとともに床に埋込固定され上面が開口されたボックス部と、前記ボックス内に連通する第１の開口部が設けられ前記ボックス部の上端部に取着されるベースプレートと、前記ボックス部の開口部に連通する第２の開口部が設けられ前記ベースプレートに載置されて縦横に移動自在な取付プレートと、光源及び前記光源の制御部を内蔵し前記取付プレートに取着され下部が前記各開口部を通して前記ボックス部内に収納される照明器具本体部とを具備しているので、取付プレートを縦横に移動させることで照明器具本体部を縦横に移動できるから、仮枠等を用いて大きめの設置スペースを確保しなくても縦方向及び横方向のずれに対応でき、コンクリート打ちの回数を従来の仮枠等を用いた場合の２回から１回に減らすことができて、コスト及び作業時間の大幅な削減ができるという効果がある。
【００１７】
請求項２の発明は、請求項１の発明において、照明器具本体部に、前記照明器具本体部の高さを調整する高さ調整手段を設けたので、床の仕上げを行った後でも容易に照明器具本体部の高さ調整を行うことができるという効果がある。
【図面の簡単な説明】
【図１】実施形態を示す側面図である。
【図２】同上の照明器具本体部の平面図である。
【図３】照明器具本体部の表面カバーを取り外した状態の拡大平面図である。
【図４】同上のベースプレートを示し、（ａ）は平面図、（ｂ）は側断面図である。
【図５】同上の取付プレートの平面図である。
【図６】同上の埋込型照明器具を用いた誘導システムの概略構成図である。
【図７】従来例を示す側面図である。
【符号の説明】
１  照明器具本体部
２  大型四角アウトレットボックス
４  高さ調整ねじ
８  石材
９  コンクリート
５０  取付プレート
６０  フロアダクト
７０  継枠
８１  ベースプレート
Ａ  埋込型照明器具
Ｂ  ボックス部
【図１】
0003642134.tif 000002
【図２】
0003642134.tif 000003
【図３】
0003642134.tif 000004
【図４】
0003642134.tif 000005
【図５】
0003642134.tif 000006
【図６】
0003642134.tif 000007
【図７】
0003642134.tif 000008